(57)【要約】【課題】仮保持部材の復元力を小さくすることができるとともに、接続対象物を確実にロックすることのできるコネクタを提供する。【解決手段】仮保持片部４１の係合部４１ａがフレキシブル回路１の切り欠き部１ａに係合した状態で回動部材３０を下方回動位置まで回動すると、ロック片部４２の係合部４２ａが回動部材３０に押圧されてフレキシブル回路１の切り欠き部１ａに係合するとともに、回動部材３０によってロック部材４２の係合部４２ａの係合解除方向への移動を規制するようにしたので、仮保持片部４１によってフレキシブル回路１をロックする必要がなく、仮保持片部４１の復元力を小さくすることができる。また、ロック片部４２によってフレキシブル回路１を仮保持する必要がないので、ロック片部４２をフレキシブル回路１の反挿入方向への引き抜きを十分に規制可能な大きさに形成することができる。【選択図】図８
2010073321.tif 000002
【特許請求の範囲】
【請求項１】
接続対象物を所定位置に挿入可能なコネクタ本体と、コネクタ本体に挿入された接続対象物と接触する複数の端子と、接続対象物に設けられた切り欠き部に係合可能な係合部を有する仮保持部材と、コネクタ本体に回動自在に設けられた回動部材とを備え、回動部材を所定位置まで回動した状態で接続対象物をコネクタ本体に挿入すると、仮保持部材の弾性変形により係合部が接続対象物の先端と切り欠き部との間を乗り越えて切り欠き部に係合するようにしたコネクタにおいて、
前記接続対象物の切り欠き部に係合可能な係合部を有するロック部材を備え、
仮保持部材の係合部が接続対象物の切り欠き部に係合した状態で回動部材を他の所定位置まで回動すると、ロック部材の係合部が回動部材に押圧されて接続対象物の切り欠き部に係合するとともに、回動部材によってロック部材の係合部の係合解除方向への移動が規制されるように構成した
ことを特徴とするコネクタ。
【請求項２】
前記仮保持部材を接続対象物の切り欠き部に接続対象物の一方の面側から係合するように配置するとともに、ロック部材を接続対象物の切り欠き部に接続対象物の他方の面側から係合するように配置し、
ロック部材の係合部が接続対象物の切り欠き部に係合すると、仮保持部材の係合部がロック部材の係合部に押圧されて接続対象物の切り欠き部から押し出されるように構成した
ことを特徴とする請求項１記載のコネクタ。
【請求項３】
前記仮保持部材とロック部材とを一体に形成した
ことを特徴とする請求項１または２記載のコネクタ。
【請求項４】
前記仮保持部材とロック部材とを一体に形成した部材に外部の基板に固定可能な固定部を設けた
ことを特徴とする請求項３記載のコネクタ。
【発明の詳細な説明】
【技術分野】
【０００１】
本発明は、例えばフレキシブルプリント回路（ＦＰＣ）やフレキシブルフラットケーブル（ＦＦＣ）等を接続するためのコネクタに関するものである。
【背景技術】
【０００２】
従来、この種のコネクタとしては、ＦＰＣまたはＦＦＣからなる接続対象物を所定位置に挿入可能なコネクタ本体と、コネクタ本体に挿入された接続対象物と接触する複数の端子と、接続対象物に設けられた切り欠き部に係合可能な係合部を有する仮保持部材と、コネクタ本体に回動自在に設けられた回動部材とを備えたものが知られている（例えば、特許文献１参照。）。
【０００３】
このコネクタにおいては、回動部材を所定位置まで回動した状態で接続対象物をコネクタ本体に挿入すると、仮保持部材の弾性変形により係合部が接続対象物の先端と切り欠き部との間を乗り越えて切り欠き部に係合し、接続対象物が仮保持部材によって仮保持され、回動部材を他の所定位置まで回動すると、回動部材が仮保持部材に当接して仮保持部材の係合解除方向への移動が規制され、接続対象物がロックされるようになっている。
【特許文献１】特開２００８−１５３０５９号公報
【発明の開示】
【発明が解決しようとする課題】
【０００４】
しかしながら、前記コネクタでは、仮保持部材によって接続対象物をロックするようにしているため、接続対象物の反挿入方向への引き抜きを十分に規制することができず、接続対象物を確実にロックすることができなかった。また、ロック時の保持力を高めるために仮保持部材の復元力を強くすると、仮保持部材の係合部が接続対象物の先端と切り欠き部との間を乗り越える際、接続対象物の表面に仮保持部材の接触による擦り傷が付きやすくなるという問題点があった。
【０００５】
本発明は前記問題点に鑑みてなされたものであり、その目的とするところは、仮保持部材の復元力を小さくすることができるとともに、接続対象物を確実にロックすることのできるコネクタを提供することにある。
【課題を解決するための手段】
【０００６】
本発明は前記目的を達成するために、接続対象物を所定位置に挿入可能なコネクタ本体と、コネクタ本体に挿入された接続対象物と接触する複数の端子と、接続対象物に設けられた切り欠き部に係合可能な係合部を有する仮保持部材と、コネクタ本体に回動自在に設けられた回動部材とを備え、回動部材を所定位置まで回動した状態で接続対象物をコネクタ本体に挿入すると、仮保持部材の弾性変形により係合部が接続対象物の先端と切り欠き部との間を乗り越えて切り欠き部に係合するようにしたコネクタにおいて、前記接続対象物の切り欠き部に係合可能な係合部を有するロック部材を備え、仮保持部材の係合部が接続対象物の切り欠き部に係合した状態で回動部材を他の所定位置まで回動すると、ロック部材の係合部が回動部材に押圧されて接続対象物の切り欠き部に係合するとともに、回動部材によってロック部材の係合部の係合解除方向への移動が規制されるように構成している。
【０００７】
これにより、回動部材を所定位置まで回動した状態で接続対象物をコネクタ本体に挿入すると、仮保持部材の係合部が接続対象物の切り欠き部に係合し、回動部材を他の所定位置まで回動すると、ロック部材の係合部が回動部材に押圧されて接続対象物の切り欠き部に係合するとともに、回動部材によってロック部材の係合部の係合解除方向への移動が規制されることから、接続対象物が挿入時に仮保持されるとともに、回動部材を他の所定位置まで回動した後は、接続対象物に引き抜き方向への力が加わっても、ロック部材と接続対象物との係合が解除されることがない。その際、仮保持部材によって接続対象物をロックする必要がないので、仮保持部材の復元力を小さくすることができる。また、ロック部材によって接続対象物を仮保持する必要がないので、ロック部材を接続対象物の反挿入方向への引き抜きを十分に規制可能な大きさに形成することができる。
【発明の効果】
【０００８】
本発明によれば、仮保持部材の復元力を小さくすることができるので、仮保持部材との接触による接続対象物の擦り傷の発生を低減することができる。また、ロック部材を接続対象物の反挿入方向への引き抜きを十分に規制可能な大きさに形成することができるので、接続対象物を確実にロックすることができる。
【発明を実施するための最良の形態】
【０００９】
図１乃至図１０は本発明の一実施形態を示すもので、図１はコネクタの背面側斜視図、図２はフレキシブル回路を接続したコネクタの背面側斜視図、図３はコネクタの正面図、図４は図３のＡ−Ａ線矢視方向断面図、図５は図３のＢ−Ｂ線矢視方向断面図、図６乃至図１０はフレキシブル回路の接続工程を示す側面断面図である。
【００１０】
このコネクタは、接続対象物としてのフレキシブル回路１の先端側が挿入されるコネクタ本体１０と、コネクタ本体１０内に互いに幅方向に等間隔で配列された複数の端子２０と、コネクタ本体１０に回動自在に設けられた回動部材３０と、コネクタ本体１０に挿入されたフレキシブル回路１に係合する係合部材４０とから構成されている。
【００１１】
フレキシブル回路１は、いわゆるフレキシブルフラットケーブル（ＦＦＣ）またはフレキシブルプリント回路（ＦＰＣ）からなり、その先端側の幅方向両側にはそれぞれ切り欠き部１ａが設けられている。
【００１２】
コネクタ本体１０は合成樹脂の成形品からなり、その上面にはフレキシブル回路１の挿入口１０ａが設けられている。コネクタ本体１０は、上面部１１、前面部１２、背面部１３及び側面部１４を有し、背面部１３の上部は回動部材３０を配置するために開口している。また、コネクタ本体１０の前面部１２には上下方向に延びる端子保持孔１２ａが設けられている。
【００１３】
各端子２０は導電性の金属板からなり、コネクタ本体１０内にそれぞれ底面側から圧入することにより保持されている。端子２０は、フレキシブル回路１に接触する弾性片部２１と、回動部材３０を支持する支持片部２２と、コネクタ本体１０に固定される固定片部２３とからなる。弾性片部２１は端子２０の下端側からＵ字状に屈曲して上方に延びるとともに、上端からＵ字状に屈曲して下方に延びるように形成され、その先端側には前方に向かって突出する接触部２１ａが設けられている。支持片部２２は端子２０の下端側から上方に延びるように形成され、その上端側には前方に向かって突出する突出部２２ａが設けられている。固定片部２３は端子２０の下端側から上方に延びるように形成され、コネクタ本体１０の端子保持孔１２ａに圧入されることにより、端子２０をコネクタ本体１０に固定するようになっている。また、端子２０の下端には図示しない外部の基板に接続される接続部２４が設けられ、接続部２４は各端子２０の前方と後方に端子配列方向の一つおきに交互に配置されるように形成されている。
【００１４】
回動部材３０は合成樹脂の成形品からなり、コネクタ本体１０の背面側上部に配置されている。回動部材３０の一端側には断面略楕円形状の回動支点部３１が設けられ、回動支点部３１は端子２０の支持片部２２によって回動自在に支持されている。この場合、回動支点部３１は支持片部２２の突出部２２ａに載置されるように支持され、回動部材３０を所定の上方回動位置から所定の下方回動位置まで回動すると、回動支点部３１が端子２０の弾性片部２１側に突出し、回動支点部３１によって弾性片部２１が前方（フレキシブル回路１側）に押圧されるようになっている。また、回動部材３０には係合部材４０に当接する当接部３２が設けられ、回動部材３０を所定の上方回動位置から所定の下方回動位置まで回動すると、当接部３２が係合部材４０に当接するようになっている。
【００１５】
係合部材４０は金属板からなり、コネクタ本体１０の幅方向両側にそれぞれ設けられている。係合部材４０は前後方向に弾性変形可能な仮保持部材及びロック部材としての仮保持片部４１及びロック片部４２を有し、仮保持片部４１及びロック片部４２は互いに前後方向に対向するように配置されている。仮保持片部４１及びロック片部４２は係合部材４０の下端側から上方に延びるように形成され、その上端にはフレキシブル回路１の切り欠き部１ａに係合可能な係合部４１ａ，４２ａがそれぞれ設けられている。仮保持片部４１はフレキシブル回路１の一方の面側（前方）に位置するように設けられ、その係合部４１ａは上端から下方に向かって傾斜するように後方（フレキシブル回路１側）に突出している。ロック片部４２はフレキシブル回路１の他方の面側（後方）に位置するように設けられ、その係合部４２ａは上端から下方に向かって傾斜するように前方（フレキシブル回路１側）に突出している。この場合、ロック片部４２の係合部４２ａは仮保持片部４１の係合部４１ａよりも大きく形成され、その後端に回動部材３０の当接部３２が当接するようになっている。また、係合部材４０の下端には図示しない外部の基板に固定される固定部４３が設けられ、各固定部４３は半田付けにより基板に固定されるようになっている。
【００１６】
以上のように構成されたコネクタにおいては、回動部材３０を所定の上方回動位置に回動した状態でコネクタ本体１０の挿入口１０ａに上方からフレキシブル回路１の先端側を挿入すると、フレキシブル回路１の先端が仮保持片部４１の係合部４１ａの傾斜面に当接し、図６に示すように係合部４１ａが仮保持片部４１の弾性変形によりフレキシブル回路１の先端と切り欠き部１ａとの間に乗り上げる。この後、更にフレキシブル回路１を挿入すると、図７に示すように係合部４１ａがフレキシブル回路１の先端と切り欠き部１ａとの間を乗り越えるとともに、仮保持片部４１が復元して係合部４１ａが切り欠き部１ａに係合し、フレキシブル回路１が仮保持部材４０によって仮保持される。次に、図８に示すように回動部材３０を前記上方回動位置から所定の下方回動位置まで９０゜回動すると、回動部材３０の当接部３２がロック片部４２の係合部４２ａの後端に当接し、係合部４２ａが回動部材３０によって前方に押圧される。これにより、ロック片部４２が弾性変形して係合部４２ａが切り欠き部１ａに係合するとともに、仮保持片部４１の係合部４１ａがロック片部４２の係合部４２ａに押圧されて切り欠き部１ａから前方に押し出される。その際、ロック片部４２の係合部４２ａは、回動部材３０の当接によって後方（係合解除方向）への移動が規制される。
【００１７】
また、前述のように回動部材３０を所定の上方回動位置に回動した状態でコネクタ本体１０の挿入口１０ａにフレキシブル回路１の先端側を挿入すると、図９に示すように各端子２０はフレキシブル回路１との接触による弾性変形を生じないため、挿入抵抗を生ずることなくフレキシブル回路１が仮保持片部４１との係合位置まで挿入される。この後、図１０に示すように回動部材３０を前記上方回動位置から前記下方回動位置まで回動すると、回動部材３０の回動支点部３１によって端子２０の弾性片部２１がフレキシブル回路１側に押圧され、弾性片部２１の接触部２１ａがフレキシブル回路１に圧接する。
【００１８】
このように、本実施形態のコネクタによれば、仮保持片部４１の係合部４１ａがフレキシブル回路１の切り欠き部１ａに係合した状態で回動部材３０を下方回動位置まで回動すると、ロック片部４２の係合部４２ａが回動部材３０に押圧されてフレキシブル回路１の切り欠き部１ａに係合するとともに、回動部材３０によってロック部材４２の係合部４２ａの係合解除方向への移動を規制するようにしたので、フレキシブル回路１を挿入時に仮保持することができるとともに、回動部材３０を下方回動位置まで回動した後は、フレキシブル回路１に引き抜き方向への力が加わっても、ロック片部４２とフレキシブル回路１との係合が解除されることがなく、フレキシブル回路１の反挿入方向への引き抜きを確実に防止することができる。その際、仮保持片部４１によってフレキシブル回路１をロックする必要がないので、仮保持片部４１の復元力を小さくすることができ、仮保持片部４１との接触によるフレキシブル回路１の擦り傷の発生を低減することができる。また、ロック片部４２によってフレキシブル回路１を仮保持する必要がないので、ロック片部４２をフレキシブル回路１の反挿入方向への引き抜きを十分に規制可能な大きさに形成することができ、フレキシブル回路１を確実にロックすることができる。
【００１９】
更に、ロック片部４２の係合部４２ａがフレキシブル回路１の切り欠き部１ａに係合すると、仮保持片部４１の係合部４１ａがロック片部４２の係合部４２ａに押圧されてフレキシブル回路１の切り欠き部１ａから押し出されるようにしたので、仮保持片部４１の係合部４１ａによってロック片部４２の係合が妨げられることがなく、ロック片部４２とフレキシブル回路１との係合をより確実に行うことができる。
【００２０】
また、仮保持片部４１とロック片部４２とを係合部材４０に一体に形成したので、部品点数を少なくすることができ、生産性の向上を図ることができる。
【００２１】
この場合、係合部材４０に外部の基板に固定可能な固定部４３を設けたので、コネクタ本体１０を基板に確実に固定することができるとともに、基板固定用の部材を別途設ける必要がないので、部品点数を少なくすることができる。
【００２２】
尚、前記実施形態では、仮保持片部４１とロック片部４２とを一体に形成したものを示したが、仮保持部材とロック部材とをそれぞれ別部品によって形成するようにしてもよい。
【図面の簡単な説明】
【００２３】
【図１】本発明の一実施形態を示すコネクタの背面側斜視図
【図２】フレキシブル回路を接続したコネクタの背面側斜視図
【図３】コネクタの正面図
【図４】図３のＡ−Ａ線矢視方向断面図
【図５】図３のＢ−Ｂ線矢視方向断面図
【図６】フレキシブル回路の接続工程を示す側面断面図
【図７】フレキシブル回路の接続工程を示す側面断面図
【図８】フレキシブル回路の接続工程を示す側面断面図
【図９】フレキシブル回路の接続工程を示す側面断面図
【図１０】フレキシブル回路の接続工程を示す側面断面図
【符号の説明】
【００２４】
１…フレキシブル回路、１ａ…切り欠き部、１０…コネクタ本体、２０…端子、３０…回動部材、４０…係合部材、４１…仮保持片部、４１ａ…係合部、４２…ロック片部、４２ａ…係合部、４３…固定部。
【図１】
2010073321.tif 000003
【図２】
2010073321.tif 000004
【図３】
2010073321.tif 000005
【図４】
2010073321.tif 000006
【図５】
2010073321.tif 000007
【図６】
2010073321.tif 000008
【図７】
2010073321.tif 000009
【図８】
2010073321.tif 000010
【図９】
2010073321.tif 000011
【図１０】
2010073321.tif 000012